(57)【要約】【課題】一次元バーコードの読み取りを円滑にする技術を提供する。【解決手段】本発明の一側面に係る収容体は、被収容物を収容する収容体本体と、所定の情報を示すように複数のエレメントで構成され、前記収容体本体の面に表示される一次元バーコードと、を備える。そして、前記一次元バーコードの前記各エレメントは、前記収容体本体の面の一方向に対する前記各エレメントの長さが、前記収容体本体の面の一方向の長さの半分以上となるように、前記所定の情報を読み取る際の走査方向に垂直な高さ方向に延びている。【選択図】図１
2017134641.tif 000002
【特許請求の範囲】
【請求項１】
被収容物を収容する収容体本体と、
所定の情報を示すように複数のエレメントで構成され、前記収容体本体の面に表示される一次元バーコードと、
を備える収容体であって、
前記一次元バーコードの前記各エレメントは、前記収容体本体の面の一方向に対する前記各エレメントの長さが、前記収容体本体の面の一方向の長さの半分以上となるように、前記所定の情報を読み取る際の走査方向に垂直な高さ方向に延びている、
収容体。
【請求項２】
前記一次元バーコードの前記各エレメントにおける前記高さ方向の各端部は、前記収容体本体の面の一方向の各端部から、前記収容体本体の面の一方向の長さの５％以内の範囲に位置する、
請求項１に記載の収容体。
【請求項３】
前記収容体本体の面は矩形状に形成され、
前記一次元バーコードの前記各エレメントは、前記収容体本体の面の長手方向に対する前記各エレメントの長さが前記収容体本体の面の長手方向の長さの半分以上となるように、前記高さ方向に延びている、
請求項１又は２に記載の収容体。
【請求項４】
複数の前記一次元バーコードを備える、
請求項１から３のいずれか１項に記載の収容体。
【請求項５】
前記複数の一次元バーコードの前記高さ方向はそれぞれ異なっている、
請求項４に記載の収容体。
【請求項６】
前記一次元バーコードの前記各エレメントは、前記高さ方向に直線状に延びている、
請求項１から５のいずれか１項に記載の収容体。
【請求項７】
前記一次元バーコードの前記各エレメントは、前記高さ方向に湾曲して延びている、
請求項１から５のいずれか１項に記載の収容体。
【請求項８】
前記一次元バーコードは、前記高さ方向の両端側に配置され、前記複数のエレメントから前記所定の情報を読取可能な一対の情報読取領域と、当該一対の情報読取領域の間に配置され、前記複数のエレメント上で前記一次元バーコードとは他種の情報を表示する他種情報表示領域と、を備える、
請求項１から７のいずれか１項に記載の収容体。
【発明の詳細な説明】
【技術分野】
【０００１】
本発明は、収容体に関する。
【背景技術】
【０００２】
スーパーマーケット、コンビニエンスストア等の店舗で取り扱われている商品の包装用袋等の収容体には、当該商品を管理するために、一次元バーコードが一般的に付されている。このような一次元バーコードについて、例えば、特許文献１では、両サイドにシール部を有している包装用袋において、それぞれのシール部にかかるように一対のバーコードを印刷することが提案されている。シール部は、包装用袋に内容物を充填した後でも、平坦性を保っている。そのため、シール部にかかるようにバーコードを印刷することで、バーコードの印刷部分に皺がよったり、凹凸ができたりするのを防ぐことができ、これによって、レジにおけるバーコードの読み取りエラーを低減することができる。
【先行技術文献】
【特許文献】
【０００３】
【特許文献１】実開平０６−０７１４４９号公報
【発明の概要】
【発明が解決しようとする課題】
【０００４】
特許文献１で例示されるような一次元バーコードは、所定の情報を示すよう複数のエレメントで構成される。具体的には、一次元バーコードは、複数のエレメントとして、複数のバーと、複数のスペースと、を備えている。各バーは、光学的反射率の低い部分であり、各スペースは、光学的反射率の高い部分である。各エレメント（各バー及び各スペース）は所定の規則に従って配列されており、バーコードリーダによって、各エレメントの配列方向に一次元バーコードを光学的に走査することで、当該一次元バーコードから所定の情報を読み取ることができる。
【０００５】
すなわち、一次元バーコードは、走査方向である各エレメントの配列方向（幅方向）に情報を持つ。これに対して、一次元バーコードは、配列方向とは垂直な各エレメントの高さ方向には情報を持たない。そのため、一次元バーコードの高さ方向の長さ（高さ）は、所定の情報を読取可能であれば、任意に決定することができるが、従来では、商品パッケージの図柄の邪魔にならないようにするため等の理由により、比較的に短めに設定されていた。
【０００６】
これによって、本件発明者らは、従来の一次元バーコードの付された収容体では、次のような問題点が生じていることを見い出した。すなわち、一次元バーコードの付された収容体が比較的に大容量である場合がある。例えば、一次元バーコードが付される収容体本体が、５ｋｇ、１０ｋｇ等の米を収容する米袋である場合である。このような場合、一次元バーコードは、収容体本体に対して相対的に非常に小さくなる。そのため、店舗のレジ等で一次元バーコードから情報を読み取る際に、当該一次元バーコードを見つけ難くなってしまう。
【０００７】
また、特許文献１に例示されるように、一次元バーコードは、収容体本体の端部に配置さられることが多い。特に、一次元バーコードは収容体本体の一端部にのみ付され、収容体本体のその他の端部には一次元バーコードが付されていない場合が多い。このような場合に、一次元バーコードから情報を読み取る読取者（例えば、店舗のレジに居る店員）に、当該一次元バーコードの付されていない端部を向けて収容体を渡すとする。
【０００８】
そうすると、一次元バーコードから情報を読み取るのに際して、当該読取者には、一次元バーコードの付されている端部を探し、当該一次元バーコードの付されている端部側に収容体本体の向きを変える等の余計な手間がかかってしまう。加えて、一次元バーコードの付された収容体本体が上記のような比較的に大容量である場合には、収容体本体の向きを変える作業は重労働であり、当該読取者に大きな負担がかかってしまう。
【０００９】
本件発明者らは、これらの理由により、一次元バーコードの高さ方向の長さを比較的に短めに設定すると、当該一次元バーコードの読み取りが円滑に行えなくなってしまう可能性があるという問題点を見い出した。
【００１０】
本発明は、一側面では、このような問題点を鑑みてなされたものであり、一次元バーコードの読み取りを円滑にする技術を提供することを目的とする。
【課題を解決するための手段】
【００１１】
本発明は、上述した課題を解決するために、以下の構成を採用する。
【００１２】
すなわち、本発明の一側面に係る収容体は、被収容物を収容する収容体本体と、所定の情報を示すように複数のエレメントで構成され、前記収容体本体の面に表示される一次元バーコードと、を備える。そして、前記一次元バーコードの前記各エレメントは、前記収容体本体の面の一方向に対する前記各エレメントの長さが、前記収容体本体の面の一方向の長さの半分以上となるように、前記所定の情報を読み取る際の走査方向に垂直な高さ方向に延びている。
【００１３】
当該構成に係る収容体では、情報を持たない高さ方向の長さ（以下、「高さ」とも記載する）が比較的に長い一次元バーコードが収容体本体に付される。具体的には、一次元バーコードの高さは、収容体本体の面の一方向に対する各エレメントの長さが当該収容体本体の面の一方向の長さの半分以上となるように設定される。
【００１４】
そのため、当該一方向において、収容体本体の面に対する一次元バーコードの占める割合を比較的に高くすることができる。すなわち、収容体本体の面上で一次元バーコードを目立たせることができ、これによって、一次元バーコードの読み取り作業を行う際に、読取者が、当該一次元バーコードを見つけやすくすることができる。
【００１５】
また、当該構成に係る収容体では、一次元バーコードの高さが最も短くなるように設定したとしても、一次元バーコードは、収容体本体の面の一方向において、当該面の長さの半分を占めるように形成される。そのため、このような場合であっても、少なくとも当該一方向において、収容体本体の面上で、一次元バーコード全体が面中央からいずれかの端部側に偏って配置されるのを避けることができる。すなわち、収容体本体のいずれかの端部に接するように一次元バーコードを配置したとしても、当該一次元バーコードは、少なくとも面中央まで、好ましくは他端部側に延びることができる。
【００１６】
これによって、収容体本体の両端部から一次元バーコードまでの長さが比較的に短くなるため、読取者は、いずれの端部側を向けて収容体本体を渡されたとしても、当該収容体本体の向きを変えることなく、当該一次元バーコードにアクセスすることができる。すなわち、読取者は、当該収容体本体の向きを変えることなく、当該一次元バーコードにバーコードリーダを当てて、当該一次元バーコードから情報を読み取ることができる。
【００１７】
したがって、当該構成によれば、一次元バーコードの読み取り作業を読取者が行う際において、一次元バーコードを探したり、収容体本体の向きを変えたりする手間がかからないようにすることができる。そのため、当該構成に係る収容体では、一次元バーコードの読み取り作業を円滑にすることができる。
【００１８】
なお、このような高さ方向の長さが比較的に長い一次元バーコードは、商品パッケージの背景として利用することができる。すなわち、収容体本体の面に付される従来の商品パッケージの背景の一部又は全部を上記のような高さ方向に長い一次元バーコードに置き換えることで、上記のような収容体を構成してもよい。これにより、商品パッケージにかかるコスト（例えば、印刷コスト）を上げることなく、一次元バーコードの読み取り作業を円滑にすることができる。
【００１９】
また、上記一側面に係る収容体の別の形態として、前記一次元バーコードの前記各エレメントにおける前記高さ方向の各端部は、前記収容体本体の面の一方向の各端部から、前記収容体本体の面の一方向の長さの５％以内の範囲に位置してもよい。
【００２０】
当該構成によれば、収容体本体の面の両端部近傍まで一次元バーコードが延びているため、読取者は、一次元バーコードを容易に発見することができる。加えて、収容体本体のいずれかの端部が読取者の手元付近に配置された場合には、読取者は、収容体本体の向きを変えなくても、手元付近まで延びている部分で一次元バーコードの読み取り作業を行うことができる。したがって、当該構成によれば、一次元バーコードの読み取り作業を円滑にすることができる。
【００２１】
また、上記一側面に係る各収容体の別の形態として、前記収容体本体の面は矩形状に形成されてもよく、前記一次元バーコードの前記各エレメントは、前記収容体本体の面の長手方向に対する前記各エレメントの長さが前記収容体本体の面の長手方向の長さの半分以上となるように、前記高さ方向に延びていてもよい。
【００２２】
収容体本体の長手方向の一端部にのみ一次元バーコードが付されている場合に、読取者は、一次元バーコードの付されていない他端部側を向いた状態で収容体を受け取ったと仮定する。この場合、読取者には、一次元バーコードの付された一端部側に収容体本体の向きを変更する手間がかかる可能性が高い。
【００２３】
これに対して、当該構成では、一次元バーコードは、収容体本体の面の長手方向の長さの半分以上となるように延びている。そのため、上記のような場合でも、読取者は、収容体本体の向きを変更することなく、当該一次元バーコードの読み取り作業を行うことができる。したがって、当該構成によれば、一次元バーコードの読み取り作業を円滑にすることができる。
【００２４】
また、上記一側面に係る各収容体の別の形態として、上記各収容体は、複数の前記一次元バーコードを備えてもよい。
【００２５】
当該構成によれば、上記のような高さ方向に長い一次元バーコードを複数付すことで、一次元バーコードを発見しやすくすることができる。加えて、これによって、収容体本体の面上で、一次元バーコードの占める領域の割合が比較的に高くなるため、一次元バーコードの読み取り作業を行う際に、収容体本体の向きを変えなくてもよい可能性が高くなる。したがって、当該構成によれば、一次元バーコードの読み取り作業を円滑にすることができる。
【００２６】
また、上記一側面に係る各収容体の別の形態として、前記複数の一次元バーコードの前記高さ方向はそれぞれ異なっていてもよい。
【００２７】
当該構成によれば、収容体本体の面上で、複数の一次元バーコードがそれぞれ異なる方向に延びるため、一次元バーコードの高さ方向の各端部が様々な方向に向けて配置される。そのため、当該収容体が読取者に渡されたときに、いずれかの一次元バーコードの高さ方向の端部が読取者の手元に配置される可能性が高く、これによって、一次元バーコードの読み取り作業を行う際に、収容体本体の向きを変えなくてもよい可能性が高くなる。したがって、当該構成によれば、一次元バーコードの読み取り作業を円滑にすることができる。
【００２８】
また、上記一側面に係る各収容体の別の形態として、前記一次元バーコードの前記各エレメントは、前記高さ方向に直線状に延びていてもよい。
【００２９】
当該構成によれば、高さ方向に直線状に延びている一次元バーコードを、収容体本体の面上に記載される商品パッケージの背景に利用することができる。したがって、当該構成によれば、収容体本体の面上に記載される商品パッケージのデザイン性を損なうことなく、一次元バーコードの読み取りの作業性に優れた収容体を提供することができる。
【００３０】
また、上記一側面に係る各収容体の別の形態として、前記一次元バーコードの前記各エレメントは、前記高さ方向に湾曲して延びていてもよい。
【００３１】
当該構成によれば、高さ方向に湾曲して延びている一次元バーコードを、収容体本体の面上に記載される商品パッケージの背景に利用することができる。したがって、当該構成によれば、収容体本体の面上に記載される商品パッケージのデザイン性を損なうことなく、一次元バーコードの読み取りの作業性に優れた収容体を提供することができる。
【００３２】
また、上記一側面に係る各収容体の別の形態として、前記一次元バーコードは、前記高さ方向の両端側に配置され、前記複数のエレメントから前記所定の情報を読取可能な一対の情報読取領域と、当該一対の情報読取領域の間に配置され、前記複数のエレメント上で前記一次元バーコードとは他種の情報を表示する他種情報表示領域と、を備えてもよい。
【００３３】
本発明によれば、収容体本体に付される一次元バーコードは、高さ方向の長さが比較的長くなるように構成される。ただし、一次元バーコードの全体が万遍なく情報の読み取りに利用される訳ではなく、高さ方向の両端部付近の領域が情報の読み取りに専ら利用され、中央付近の領域は、情報の読み取りにあまり利用されないと想定される。
【００３４】
そこで、当該構成では、情報の読み取りに専ら利用され得る高さ方向の両端部付近の領域を情報読取領域として設定し、両情報読取領域の間の領域を、一次元バーコードとは他種の情報を表示するための他種情報表示領域として設定する。これによって、一次元バーコードの利用性を損なうことなく、一次元バーコードを商品パッケージの背景の一部として利用し、当該一次元バーコード上に他種の情報を表示することができる。
【００３５】
したがって、当該構成によれば、一次元バーコードの読み取りの作業性に優れ、かつ収容体本体の面上においてデザイン性に富んだ商品パッケージを実現可能な収容体を提供することができる。なお、他種の情報は、実施の形態に応じて適宜選択されてよい。例えば、他種の情報とは、商品名、産地名、品種名、マーク等である。
【発明の効果】
【００３６】
本発明によれば、一次元バーコードの読み取りを円滑にする技術を提供することができる。
【図面の簡単な説明】
【００３７】
【図１】図１は、実施の形態に係る収容体の表面を模式的に例示する。
【図２】図２は、実施の形態に係る収容体の裏面を模式的に例示する。
【図３】図３は、他の形態に係る収容体の面を模式的に例示する。
【図４】図４は、他の形態に係る収容体の面を模式的に例示する。
【図５】図５は、他の形態に係る収容体の面を模式的に例示する。
【図６】図６は、他の形態に係る収容体の面を模式的に例示する。
【図７】図７は、他の形態に係る収容体の面を模式的に例示する。
【図８】図８は、他の形態に係る収容体の面を模式的に例示する。
【発明を実施するための形態】
【００３８】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００３９】
§１  構成例
まず、図１及び図２を用いて、本実施形態に係る収容体１の構成例を説明する。図１は、本実施形態に係る収容体１の表面１２側を模式的に例示する。また、図２は、本実施形態に係る収容体１の裏面１３側を模式的に例示する。
【００４０】
なお、図１及び図２では、説明の便宜のため、ｘ軸、ｙ軸及びｚ軸を用いて各方向を例示している。以下では、ｘ軸正の方向及び負の方向をそれぞれ「右」及び「左」と称し、ｙ軸正の方向及び負の方向をそれぞれ「上」及び「下」と称し、ｚ軸正の方向及び負の方向をそれぞれ「前」及び「後」と称することとする。
【００４１】
図１及び図２に例示されるように、本実施形態に係る収容体１は、断面矩形状で扁平に形成された収容体本体１０と、収容体本体１０の表面１２及び裏面１３に表示される合計３つの一次元バーコード２０〜２２と、を備えている。これにより、収容体１は、スーパーマーケット、コンビニエンスストア等の店舗で取り扱われる商品の包装用袋等として利用される。以下、各構成要素について説明する。
【００４２】
＜収容体本体＞
まず、収容体本体１０について説明する。本実施形態に係る収容体本体１０は、公知の四方シール方式の袋と同様に構成される。すなわち、本実施形態に係る収容体本体１０は、それぞれ矩形状の表面１２及び裏面１３を備えており、表面１２及び裏面１３は各端部１０１〜１０４で封止されている。これにより、収容体本体１０の内部には、被収納物を収容するための内部空間１１が形成されている。なお、以下では、各端部１０１〜１０４をそれぞれ、上端部１０１、下端部１０２、左端部１０３、及び右端部１０４とも称する。
【００４３】
内部空間１１に収容される被収容物の種類及び収容量は、実施の形態に応じて適宜選択されてよい。例えば、収容体１を米袋として利用する場合には、内部空間１１には米が収容される。このとき、内部空間１１に収容される米の量は、２ｋｇ、５ｋｇ、１０ｋｇ等であってもよい。収容体本体１０の各部の寸法は、内部空間１１の収容量に応じて適宜決定することができる。
【００４４】
また、収容体本体１０の材料は、実施の形態に応じて適宜選択されてよい。例えば、収容体本体１０の材料として、ポリ塩化ビニル、ナイロン等の樹脂製のフィルムが用いられもよいし、クラフト紙等の紙材が用いられてもよい。収容体本体１０は、このような材料を利用して、公知の製造方法で適宜作製することができる。
【００４５】
＜一次元バーコード＞
次に、収容体本体１０に表示される各一次元バーコード２０〜２２について説明する。本実施形態では、収容体本体１０の表面１２に１つの一次元バーコード２０が表示され、裏面１３に２つの一次元バーコード（２１、２２）が表示されている。以下では、説明の便宜のため、これら３つの一次元バーコード２０〜２２をそれぞれ、第１の一次元バーコード２０、第２の一次元バーコード２１、及び第３の一次元バーコード２２とも称する。
【００４６】
各一次元バーコード２０〜２２は、商品コード、企業コード、国コード等の所定の情報を示すように複数のエレメントで構成されている。具体的には、図１及び図２に例示されるように、各一次元バーコード２０〜２２は、複数のエレメントとして、複数のバー及び複数のスペースで構成されている。各バーは、光学的反射率の低い部分（図中の黒色部分）であり、各スペースは、光学的反射率の高い部分（図中の白色部分）である。
【００４７】
各エレメントは、各一次元バーコード２０〜２２の種類に応じて定められた所定の規則に従って配列されている。そのため、公知のバーコードリーダによって、各エレメントの配列方向（図中の走査方向）に各一次元バーコード２０〜２２を光学的に走査することで、当該各一次元バーコード２０〜２２から所定の情報を読み取ることができる。一方、走査方向とは垂直な高さ方向には各エレメントは延びているだけであり、当該高さ方向に各エレメントを光学的に走査しても、当該各一次元バーコード２０〜２２から所定の情報を読み取ることはできない。すなわち、各一次元バーコード２０〜２２は、走査方向に情報を有するのに対して、走査方向とは垂直な高さ方向には情報を有さないように構成される。
【００４８】
なお、各一次元バーコード２０〜２２の種類は、特に限定されなくてもよく、実施の形態に応じて適宜選択されてよい。例えば、各一次元バーコード２０〜２２として、ＪＡＮ（ＥＡＮ、ＵＰＣ）、ＣＯＤＥ３９、ＣＯＤＥ１２８、ＮＷ−７、ＩＴＦ等のコードが用いられてもよい。各エレメントの幅（走査方向の長さ）は、各一次元バーコード２０〜２２の種類及び保持する情報に応じて、適宜決定される。
【００４９】
本実施形態では、各一次元バーコード２０〜２２は、収容体本体１０の各面（１２、１３）の一方向に対する各エレメントの長さが、当該収容体本体１０の各面（１２、１３）の長さの半分以上となるように、走査方向に垂直な高さ方向に延びるよう構成される。以下、各一次元バーコード２０〜２２の高さ方向の長さについて詳細に説明する。
【００５０】
（第１の一次元バーコード）
まず、表面１２側に表示される第１の一次元バーコード２０について説明する。図１に例示されるように、第１の一次元バーコード２０は左右方向の中央に配置されており、当該第１の一次元バーコード２０の各エレメントは上下方向に延びている。すなわち、第１の一次元バーコード２０の走査方向は図中の左右方向であり、高さ方向は図中の上下方向である。
【００５１】
本実施形態では、収容体本体１０の表面１２は、矩形状に形成されており、左端部１０３及び右端部１０４間の距離（左右方向の長さ）よりも、上端部１０１及び下端部１０２間の距離（上下方向の長さ）の方が長く構成されている。換言すると、図中の左右方向が表面１２の短手方向となっており、図中の上下方向が表面１２の長手方向となっている。
【００５２】
そして、本実施形態では、第１の一次元バーコード２０の各エレメントは、表面１２の長手方向に対する各エレメントの長さＢ１が、表面１２の長手方向の長さＬの半分以上となるように、高さ方向に直線状に延びている。つまり、収容体本体１０の表面１２の長手方向（図中の上下方向）において、第１の一次元バーコード２０の長さＢ１が当該表面１２の長さＬの５０％以上となるように設定される。これによって、第１の一次元バーコード２０は、表面１２に対する当該第１の一次元バーコード２０の占める割合が５０％以上となるように構成される。
【００５３】
表面１２の長手方向に対する各エレメントの長さＢ１は、表面１２の長手方向の長さＬの５０％〜１００％の範囲で適宜設定することができる。例えば、図１に例示されるように、各エレメントの長さＢ１は、表面１２の長さＬの６５％に設定されてもよい。この場合、第１の一次元バーコード２０の上端部２０１と表面１２の上端部１０１との間の距離Ｙ１Ａ及び第１の一次元バーコード２０の下端部２０２と表面１２の下端部１０２との間の距離Ｙ１Ｂは、その合計が、表面１２の長さＬの３５％となるように適宜設定される。
【００５４】
このとき、距離Ｙ１Ａ及び距離Ｙ１Ｂを同一にしないことで、第１の一次元バーコード２０を上端部１０１及び下端部１０２のいずれか一方に偏るように配置してもよい。すなわち、収容体本体の面上において、一次元バーコードは、各エレメントの延びる方向のいずれか一方に偏るように配置されてもよい。例えば、図１に例示されるように、長手方向の長さＬに対して、上端部１０１との距離Ｙ１Ａを長さＬの５％に設定し、下端部１０２との距離Ｙ１Ｂを長さＬの３０％に設定することで、第１の一次元バーコード２０を上端部１０１に偏るように配置してもよい。
【００５５】
また、本実施形態に係る第１の一次元バーコード２０には、高さ方向の略中央において、当該第１の一次元バーコード２０とは他種の情報を表示する他種情報表示領域２０５が設けられている。具体的には、本実施形態に係る第１の一次元バーコード２０は、高さ方向（図中の上下方向）の両端部（２０１、２０２）側に配置された一対の情報読取領域（２０３、２０４）と、当該一対の情報読取領域（２０３、２０４）の間に配置された他種情報表示領域２０５と、を備えている。
【００５６】
各情報表示領域（２０３、２０４）は、公知のバーコードリーダを用いて、当該第１の一次元バーコード２０の複数のエレメントから所定の情報を読取可能に構成される。一方、他種情報表示領域２０５は、第１の一次元バーコード２０とは他種の情報を当該他種情報表示領域２０５上に表示するため、当該第１の一次元バーコード２０の複数のエレメントから所定の情報を読取不能に構成されてもよい。
【００５７】
本実施形態では、上記のとおり、第１の一次元バーコード２０は、高さ方向に比較的に長く構成される。ただし、第１の一次元バーコード２０の全体が万遍なく情報の読み取りに利用される訳ではなく、高さ方向の両端部（２０１、２０２）付近の領域が情報の読み取りに専ら利用され、中央付近の領域は、情報の読み取りにはあまり利用されないと想定される。
【００５８】
そこで、本実施形態では、情報の読み取りに専ら利用され得る高さ方向の両端部（２０１、２０２）付近の領域をそれぞれ情報読取領域（２０３、２０４）として設定することで、第１の一次元バーコード２０の利用性を確保している。加えて、両情報読取領域（２０３、２０４）の間の領域を、他種の情報を表示するための他種情報表示領域２０５として設定することで、第１の一次元バーコード２０を背景としたデザイン（例えば、商品パッケージ）を表面１２上で構成している。
【００５９】
なお、他種の情報は、実施の形態に応じて適宜選択されてよい。例えば、他種の情報は、商品名、産地名、品種名、マーク等であってよい。当該他種の情報は、文字、図形、記号等で示されてよい。また、他種情報表示領域２０５上に当該他種の情報を表示する方法は、実施の形態に応じて適宜選択されてよい。例えば、当該他種の情報は、第１の一次元バーコード２０と共に他種情報表示領域２０５上に印刷されることで、当該他種情報表示領域２０５上に表示されてもよい。また、例えば、当該他種の情報はシール等に印刷されてもよい。この場合、他種情報表示領域２０５上に当該シール等を付すことで、当該他種の情報を、他種情報表示領域２０５上に表示することができる。
【００６０】
（第２及び第３の一次元バーコード）
次に、裏面１３側に表示される第２及び第３の一次元バーコード（２１、２２）について説明する。図２に例示されるように、第２及び第３の一次元バーコード（２１、２２）それぞれの各エレメントは、上記第１の一次元バーコード２０と同様の方向に延びている。すなわち、第２及び第３の一次元バーコード（２１、２２）それぞれの走査方向は図中の左右方向であり、高さ方向は図中の上下方向である。
【００６１】
本実施形態では、収容体本体１０の裏面１３は、表面１２と同様に構成されている。すなわち、裏面１３は矩形状に形成されており、図中の左右方向が裏面１３の短手方向となっており、図中の上下方向が裏面１３の長手方向になっている。このような裏面１３において、本実施形態に係る第２の一次元バーコード２１は、短手方向の左端部１０３寄りに配置されている。これに対して、本実施形態に係る第３の一次元バーコード２２は、短手方向の右端部１０４寄りに配置されている。
【００６２】
また、本実施形態に係る第２及び第３の一次元バーコード（２１、２２）は共に、裏面１３の長手方向に対する各エレメントの長さがＢ２で一致している。そして、第２及び第３の一次元バーコード（２１、２２）それぞれの各エレメントは、上記第１の一次元バーコード２０と同様に、裏面１３の長手方向に対する各エレメントの長さＢ２が、裏面１３の長手方向の長さＬの半分以上となるように、高さ方向に直線状に延びている。
【００６３】
裏面１３の長手方向に対する各エレメントの長さＢ２は、上記第１の一次元バーコード２０と同様に、裏面１３の長手方向の長さＬの５０％〜１００％の範囲で適宜設定することができる。例えば、図１及び図２に例示されるように、本実施形態に係る第２及び第３の一次元バーコード（２１、２２）は、各エレメントの長さＢ２が第１の一次元バーコード２０の長さＢ１よりも長くなるように構成されてよい。具体的には、第１の一次元バーコード２０の長さＢ１が長さＬの６５％に設定されるのに対して、第２及び第３の一次元バーコード（２１、２２）の各エレメントの長さＢ２は長さＬの９０％以上となるように設定されてよい。
【００６４】
この場合に、図２に例示されるように、第２及び第３の一次元バーコード（２１、２２）を、高さ方向の略中央に配置してもよい。これによって、本実施形態では、第２及び第３の一次元バーコード（２１、２２）それぞれの高さ方向の各端部が、裏面１３の長手方向の各端部（１０１、１０２）から、当該長手方向の長さＬの５％以内の範囲に位置するようにすることができる。すなわち、各一次元バーコード（２１、２２）の上端部と裏面１３の上端部１０１との間の距離Ｙ２Ａ、及び各一次元バーコード（２１、２２）の下端部と裏面１３の下端部１０２との間の距離Ｙ２Ｂが共に、当該裏面１３の長手方向の長さＬの５％以内になるように設定することができる。
【００６５】
なお、本実施形態では、第２及び第３の一次元バーコード（２１、２２）には、上記第１の一次元バーコード２０の他種情報表示領域２０５のような領域は設けられていない。そのため、第２及び第３の一次元バーコード（２１、２２）では、当該第２及び第３の一次元バーコード（２１、２２）の付される全ての領域が、情報の読み取りに利用することができる。
【００６６】
（その他）
３つの一次元バーコード２０〜２２は、以上のような構成を有した上で、収容体本体１０の各面（１２、１３）で表示される。なお、各一次元バーコード２０〜２２を各面（１２、１３）に表示する方法は、実施の形態に応じて適宜選択されてよい。例えば、各一次元バーコード２０〜２２は、各面（１２、１３）に表示される商品パッケージと共に各面（１２、１３）上に印刷されることで、当該各面（１２、１３）上で表示されてもよい。また、例えば、各一次元バーコード２０〜２２はシール等に印刷されてもよい。この場合、当該シールを各面（１２、１３）上に付すことで、各一次元バーコード２０〜２２を各面（１２、１３）上で表示することができる。
【００６７】
§２  特徴
以上のように、従来の一次元バーコードでは、情報を有さない高さ方向の長さを短くしていたのに対して、本実施形態に係る各一次元バーコード２０〜２２では、情報を有さない高さ方向の長さを長くしている。具体的には、各一次元バーコード２０〜２２は、収容体本体１０の各面（１２、１３）の長手方向に対する各エレメントの長さ（Ｂ１、Ｂ２）が当該収容体本体１０の各面（１２、１３）の長手方向の長さＬの半分以上となるように構成される。
【００６８】
これにより、本実施形態では、当該長手方向において、収容体本体１０の各面（１２、１３）に対する各一次元バーコード２０〜２２の占める割合を比較的高くし、収容体本体１０の各面（１２、１３）上で、各一次元バーコード２０〜２２を目立たせることができる。そのため、本実施形態によれば、各一次元バーコード２０〜２２から情報の読み取り作業を行う際に、当該作業を行う読取者が、当該各一次元バーコード２０〜２２を見つけやすくすることができる。
【００６９】
また、各一次元バーコード２０〜２２は、各面（１２、１３）の長手方向の長さＬの半分以上の長さを有するように構成されるため、各面（１２、１３）上で上端部１０１側又は下端部１０２側に偏って配置されない。そのため、図１及び図２に例示されるように、収容体本体１０の長手方向の両端部（１０１、１０２）から各一次元バーコード２０〜２２までの距離（Ｙ１Ａ、Ｙ１Ｂ、Ｙ２Ａ、Ｙ２Ｂ）を比較的に短くすることができる。具体的には、各一次元バーコード２０〜２２の長さ（Ｂ１、Ｂ２）及び配置をどのように設定しても、各距離（Ｙ１Ａ、Ｙ１Ｂ、Ｙ２Ａ、Ｙ２Ｂ）を各面（１２、１３）の長手方向の長さＬの半分以下にすることができる。これによって、本実施形態によれば、長手方向を向けて収容体１が渡されたとしても、読取者が収容体本体１０の向きを変えないでもよい程度に、長手方向の両端部（１０１、１０２）から各一次元バーコード２０〜２２にアクセスしやすくすることができる。
【００７０】
したがって、本実施形態によれば、いずれかの一次元バーコード２０〜２２から情報の読み取り作業を行う際に、当該作業を行う読取者に、一次元バーコード２０〜２２を探したり、収容体本体１０の向きを変えたりする手間がかからないようにすることができる。よって、当該構成に係る収容体１によれば、一次元バーコードの読み取り作業を円滑にすることができる。
【００７１】
なお、いずれかの端部に偏って一次元バーコードが配置された場合に、収容体本体が比較的に大きく、すなわち、大容量に構成されると、当該一次元バーコードを探したり、収容体本体の向きを変えたりする手間がかかりやすくなる。そのため、本実施形態は、収容体本体１０が、２ｋｇ、５ｋｇ、１０ｋｇの米袋のように比較的に大容量に構成された場合に、一次元バーコードの読み取り作業を円滑にするという効果をより発揮する。
【００７２】
また、本実施形態では、収容体本体１０の表面１２において、第１の一次元バーコード２０が、一対の情報読取領域（２０３、２０４）と他種情報表示領域２０５とを有するように構成されている。上記のとおり、一対の情報読取領域（２０３、２０４）は、第１の一次元バーコード２０の読み取り作業に活用されやすいと想定される場所に設けられ、他種情報表示領域２０５は、読み取り作業に活用されにくいと想定される場所に設けられる。そのため、本実施形態によれば、第１の一次元バーコード２０の読み取りの作業性を確保した上で、他種情報表示領域２０５上に商品名等の他種の情報を表示することで、当該第１の一次元バーコード２０を、あたかも他種の情報を表示する領域付近の背景のように活用することができる。すなわち、第１の一次元バーコード２０を商品パッケージの一部として利用することができ、これによって、表面１２においてデザイン性に富んだ商品パッケージを実現することができる。
【００７３】
また、本実施形態では、収容体本体１０の裏面１３において、各一次元バーコード（２１、２２）の高さ方向の各端部が、裏面１３の長手方向の各端部（１０１、１０２）から、当該長手方向の長さＬの５％以内の範囲に位置するように構成される。すなわち、各一次元バーコード（２１、２２）は裏面１３の両端部（１０１、１０２）近傍まで延びている。そのため、読取者は、各一次元バーコード（２１、２２）を容易に発見することができる。また、読取者は、収容体本体１０の向きを変えなくても、いずれかの一次元バーコード（２１、２２）の手元付近まで延びている部分から情報の読み取り作業を行うことができる。したがって、本実施形態によれば、一次元バーコードからの情報の読み取り作業を円滑にすることができる。
【００７４】
なお、本実施形態では、このような長手方向（上下方向）に長い２つの一次元バーコード（２１、２２）を短手方向（左右方向）に対象的に配置している。これにより、以下の２つの効果を奏することができる。
【００７５】
１点目の効果として、短手方向についての一次元バーコードへのアクセス性を高めることができる。すなわち、各一次元バーコード（２１、２２）は、長手方向に長く延びているが、短手方向には延びていない。そのため、各一次元バーコード（２１、２２）は、短手方向の各端部（１０３、１０４）からはアクセスしにくい可能性がある。
【００７６】
そこで、本実施形態では、第２の一次元バーコード２１を左端部１０３側に寄せて配置し、第３の一次元バーコード２２を右端部１０４側に寄せて配置している。すなわち、本実施形態では、短手方向の各端部（１０３、１０４）の近傍にいずれかの一次元バーコード（２１、２２）を配置するように構成されている。これによって、短手方向の各端部（１０３、１０４）と各一次元バーコード（２１、２２）との間の距離を短くし、各端部（１０３、１０４）から各一次元バーコード（２１、２２）へのアクセス性を高めることができる。
【００７７】
また、２点目の効果として、このような配置により、当該２つの一次元バーコード（２１、２２）も、上記第１の一次元バーコード２０と同様に、あたかも裏面１３に付される商品パッケージの一部のように活用することができる。これによって、本実施形態では、商品パッケージにかかるコスト（例えば、印刷コスト）を上げることなく、一次元バーコードの読み取り作業を円滑にすることができる。
【００７８】
また、本実施形態では、表面１２及び裏面１３に、上記のような３つの一次元バーコード（２１、２２）が付されている。そのため、情報の読み取り作業を行う際に、読取者は、収容体本体１０をひっくり返したり、向きを変えたりすることなく、いずれかの一次元バーコード２０〜２２から情報を読み出すことができる。そのため、本実施形態によれば、一次元バーコードの読み取り作業をより円滑にすることができる。
【００７９】
また、本実施形態では、収容体本体１０の各面（１２、１３）は矩形状に形成され、各一次元バーコード２０〜２２は、各面（１２、１３）の長手方向に対する各エレメントの長さ（Ｂ１、Ｂ２）が、当該各面（１２、１３）の長手方向の長さＬの半分以上となるように構成されている。収容体本体１０の各面（１２、１３）が矩形状に形成され、各面（１２、１３）の長手方向のいずれかの端部に偏って一次元バーコードが配置されると、長手方向の他端部から当該一次元バーコードまでの距離が比較的に遠くなるため、当該他端部から当該一次元バーコードにアクセスしにくくなってしまう。
【００８０】
これに対して、本実施形態では、各一次元バーコード２０〜２２の長さ（Ｂ１、Ｂ２）を長さＬの半分以上に設定することで、このような長手方向に対して、各一次元バーコード２０〜２２が、いずれかの端部（１０１、１０２）側のみに偏らないように構成している。そのため、本実施形態によれば、長手方向における一次元バーコードへのアクセス性を改善し、当該一次元バーコードの読み取り作業を円滑にすることができる。
【００８１】
§３  変形例
以上、本発明の実施形態を説明してきたが、前述までの説明はあらゆる点において本発明の例示に過ぎない。本発明の範囲を逸脱することなく種々の改良や変形を行うことができることは言うまでもない。また、上記収容体１の各構成要素に関して、実施の形態に応じて、適宜、構成要素の省略、置換、及び追加が行われてもよい。上記収容体１の各構成要素の形状及び大きさは、実施の形態に応じて、適宜設定されてもよい。更に、上記収容体１の各構成要素の素材は、実施の形態に応じて、適宜選択されてよい。例えば、以下の変更が可能である。なお、以下で説明する変形例では、上記実施形態と同様の構成要素に関しては同様の符号を用い、適宜説明を省略した。
【００８２】
＜３．１＞
例えば、上記実施形態では、収容体本体１０は矩形状の扁平に形成され、各面（１２、１３）は矩形状に形成されている。しかしながら、収容体本体１０及び各面（１２、１３）の形状は、このような例に限定されなくてもよく、実施の形態に応じて適宜選択されてよい。例えば、収容体本体１０は、筒状、箱状等に形成されてもよい。また、各面（１２、１３）は湾曲していてもよい。
【００８３】
＜３．２＞
また、例えば、上記実施形態では、収容体本体１０は、四方シール方式の袋と同様に構成されている。しかしながら、収容体本体１０のタイプは、このような例に限定されなくてもよく、実施の形態に応じて適宜選択されてよい。例えば、収容体本体１０は、四方シール方式以外の形式の袋であってもよい。
【００８４】
また、例えば、収容体本体１０は、硬質の容器等、袋以外の形態で構成されてもよい。なお、収容体本体１０の材料は、収容体本体１０のタイプに応じて適宜選択される。収容体本体１０を硬質の容器の形態で構成する場合には、収容体本体１０の材料として、アルミニウム、ステンレス等の金属材が用いられてもよい。
【００８５】
また、例えば、収容体本体１０の各面（１２、１３）は、ディスプレイ等の電子機器で構成されてもよい。この場合、ディスプレイ等の電子機器において各一次元バーコード２０〜２２を映すことで、収容体本体１０の各面（１２、１３）上に各一次元バーコード２０〜２２が表示される。
【００８６】
＜３．３＞
また、例えば、上記実施形態では、収容体本体１０の表面１２に１つの一次元バーコード２０が付され、裏面１３に２つの一次元バーコード（２１、２２）が付されている。すなわち、収容体本体１０の表側及び裏側の両面に合計３つの一次元バーコードが付されている。しかしながら、一次元バーコードを付す面は、このような例に限定されなくてもよく、実施の形態に応じて適宜選択されてよい。例えば、表面１２及び裏面１３のいずれか一方のみに一次元バーコードが付されてもよい。
【００８７】
また、例えば、各面（１２、１３）に付される一次元バーコードの数は、１つ又は２つに限定されなくてもよく、実施の形態に応じて適宜選択されてよい。例えば、表面１２には、２つ以上の一次元バーコードが付されてもよい。また、裏面１３には、１つの一次元バーコード又は３つ以上の一次元バーコードが付されてもよい。更に、各面（１２、１３）には、上記のような一次元バーコードの他に、高さ方向の長さが短く、各面（１２、１３）の一方向の半分以上を占めないような一次元バーコードが付されてもよい。
【００８８】
なお、上記実施形態の裏面１３のように、収容体本体の一つの面に対して複数の一次元バーコードを配置すると、収容体本体の面を占める一次元バーコードの割合がその分だけ高くなる。そのため、読取者は、一次元バーコードを見つけやすくなり、かつ、一次元バーコードの読み取り作業を行う際に、収容体本体１０の向きを変えなくてもよい可能性が高くなる。したがって、上記実施形態の裏面１３のように、収容体本体の一つの面に対して複数の一次元バーコードを配置することで、一次元バーコードの読み取り作業をより円滑にすることができる。
【００８９】
＜３．４＞
また、各一次元バーコード２０〜２２の高さ方向の長さ及び配置は、実施の形態に応じて適宜設定されてよい。例えば、上記実施形態では、第２の一次元バーコード２１の高さ方向の長さと第３の一次元バーコード２２の高さ方向の長さとは一致している。しかしながら、両一次元バーコード（２１、２２）の高さ方向の長さは、このような例に限定されなくてもよく、互いに相違していてもよい。また、例えば、上記実施形態では、第２の一次元バーコード２１及び第３の一次元バーコード２２の高さ方向の長さＢ２は、第１の一次元バーコード２０の高さ方向の長さＢ１よりも長くなっている。しかしながら、両一次元バーコード（２１、２２）の高さ方向の長さＢ２は、このような例に限定されなくてもよく、第１の一次元バーコード２０の高さ方向の長さＢ１と同じ又は長さＢ１よりも短くてもよい。
【００９０】
また、各一次元バーコード２０〜２２の各端部と各面（１２、１３）の各端部（１０１、１０２）との間の距離（Ｙ１Ａ、Ｙ１Ｂ、Ｙ２Ａ、Ｙ２Ｂ）は、上記のような例に限定されなくてもよく、実施の形態に応じて適宜設定されてよい。例えば、上記図１及び図２では、各一次元バーコード２０〜２２の各端部は、各面（１２、１３）の各端部（１０１、１０２）から離間している。しかしながら、各距離（Ｙ１Ａ、Ｙ１Ｂ、Ｙ２Ａ、Ｙ２Ｂ）の設定は、このような例に限定されなくてもよい。例えば、各距離（Ｙ１Ａ、Ｙ１Ｂ、Ｙ２Ａ、Ｙ２Ｂ）を０に設定することで、各一次元バーコード２０〜２２を各面（１２、１３）の各端部（１０１、１０２）に接していてもよい。
【００９１】
＜３．５＞
また、例えば、上記実施形態では、各一次元バーコード２０〜２２の各エレメントは、各面（１２、１３）の長手方向の長さＬの半分以上を占めるように高さ方向に延びている。しかしながら、一次元バーコードが半分以上を占める面の方向、及び各エレメントの延びる方向（高さ方向）は、このような例に限定されなくてもよく、実施の形態に応じて適宜選択されてよい。例えば、以下のような変形が可能である。
【００９２】
なお、以下では、図３〜図８を用いて、裏面１３に表示される一次元バーコードの変形例を説明する。ただし、以下で説明する一次元バーコードの変形例は、裏面１３にのみ適用可能という訳ではなく、表面１２にも適用されてよいし、収容体本体１０が表面１２及び裏面１３以外のその他の面を有する場合には、当該その他の面に適用されてもよい。
【００９３】
例えば、上記実施形態では、各一次元バーコード２０〜２２は、各面（１２、１３）の長手方向の長さの半分以上を占めるように構成される。しかしながら、図３に例示されるように、一次元バーコードが半分以上を占める面の方向は、面の長手方向に限定されなくてもよく、実施の形態に応じて適宜選択されてよい。
【００９４】
図３は、一次元バーコードが半分以上を占める面の方向が当該面の短手方向である変形例を示す。具体的には、図３に例示される収容体１Ａでは、収容体本体１０の裏面１３に、当該裏面１３の短手方向（左右方向）に延びる３つの一次元バーコード２３Ａ〜２３Ｃが設けられている。すなわち、本変形例では、各一次元バーコード２３Ａ〜２３Ｃの走査方向は図中の上下方向であり、高さ方向は図中の左右方向である。
【００９５】
各一次元バーコード２３Ａ〜２３Ｃは、裏面の短手方向に対する各エレメントの長さがＢ３で一致している。そして、各一次元バーコード２３Ａ〜２３Ｃは、裏面１３の短手方向に対する各エレメントの長さＢ３が当該裏面１３の短手方向の長さＷの半分以上となるように構成される。これにより、本変形例では、裏面１３の短手方向の各端部（１０３、１０４）からの各一次元バーコード２３Ａ〜２３Ｃへのアクセス性を改善し、一次元バーコードからの情報の読み取り作業を円滑にすることができる。
【００９６】
ここで、本変形例では、上記実施形態に係る裏面１３の各一次元バーコード（２１、２２）と同様に、各一次元バーコード２３Ａ〜２３Ｃの長さＢ３が、裏面１３の短手方向の長さＷの９０％以上となるように設定されてもよい。そして、各一次元バーコード２３Ａ〜２３Ｃの高さ方向の各端部が、裏面１３の短手方向の各端部（１０３、１０４）から、当該短手方向の長さＷの５％以内の範囲に位置するように構成されてよい。これにより、一次元バーコードからの情報の読み取り作業をより円滑にすることができる。
【００９７】
また、本変形例では、一次元バーコード２３Ａは上下方向の中央に、一次元バーコード２３Ｂは上端部１０１寄りに、一次元バーコード２３Ｃは下端部１０２寄りに配置されている。これによって、上記実施形態に係る裏面１３の各一次元バーコード（２１、２２）と同様に、長手方向についての一次元バーコードへのアクセス性を高めることができる。
例えば、裏面１３の上端部１０１寄りに配置される一次元バーコード２３Ｂの上端から裏面１３の下端部１０２寄りに配置される一次元バーコード２３Ｃの下端までの長さが、裏面１３の長手方向の長さＬの７５％となるように構成することができる。
【００９８】
なお、一次元バーコードが半分以上を占める面の方向は、上記実施形態の長手方向及び本変形例の短手方向に限られなくてもよく、面上で規定可能なあらゆる方向から実施の形態に応じて適宜選択されてよい。
【００９９】
また、例えば、上記実施形態では、各一次元バーコード２０〜２２が延びる高さ方向と、各一次元バーコード２０〜２２が半分以上を占める各面（１２、１３）の方向とは、長手方向で一致している。しかしながら、図４及び図５に例示されるように、一次元バーコードの延びる高さ方向と当該一次元バーコードが半分以上を占める面の方向とは、一致していなくてもよい。
【０１００】
図４及び図５は、一次元バーコードが、当該一次元バーコードが半分以上を占める面の方向に対して交差した高さ方向に延びる変形例を示す。
【０１０１】
具体的には、図４に例示される収容体１Ｂでは、収容体本体１０の裏面１３に、左端部１０３の上方から右端部１０４の下方へ傾斜して延びる一次元バーコード２４が付されている。この本変形例に係る一次元バーコード２４では、図中に示されるように、当該一次元バーコード２４の延びる傾斜方向が高さ方向であり、これに垂直な方向が走査方向である。
【０１０２】
これに対して、本変形例では、一次元バーコード２４は、裏面１３の長手方向に対する長さＢ４ａ及び短手方向に対する長さＢ４ｂがそれぞれ、裏面１３の長手方向の長さＬ及び短手方向の長さＷの半分以上となるように構成される。例えば、裏面１３の長手方向に対する長さＢ４ａは裏面１３の長手方向の長さＬの８５％となるように設定され、裏面１３の短手方向に対する長さＢ４ｂは裏面１３の短手方向の長さＷの９０％となるように設定されてよい。これによって、１つの一次元バーコードで、裏面１３の長手方向及び短手方向の各端部１０１〜１０４からの一次元バーコードへのアクセス性を高めることができ、当該一次元バーコードからの情報の読み取り作業を円滑にすることができる。
【０１０３】
同様に、図５に例示される収容体１Ｃでは、収容体本体１０の裏面１３に、右端部１０４の上方から左端部１０３の下方へ傾斜する３つの一次元バーコード２５Ａ〜２５Ｃが付されている。このように、傾斜方向に延びる一次元バーコードを複数配置してもよい。なお、この場合、各一次元バーコード２５Ａ〜２５Ｃが、裏面１３上で設定可能ないずれかの方向に当該裏面１３の長さの半分以上を占めると共に、３つの一次元バーコード２５Ａ〜２５Ｃが裏面１３の全体を広く覆うように構成されてもよい。例えば、３つの一次元バーコード２５Ａ〜２５Ｃの上端部から下端部までの長さＢ５ａを裏面１３の長手方向の長さＬの９０％以上に設定し、３つの一次元バーコード２５Ａ〜２５Ｃの左端部から右端部までの長さＢ５ｂを裏面１３の短手方向の長さＷの９０％以上に設定してもよい。これによって、３つの一次元バーコード２５Ａ〜２５Ｃで裏面１３を広く覆うことができ、情報の読み取り作業を行う際に、読取者が、少なくともいずれかの一次元バーコード２５Ａ〜２５Ｃにアクセスしやすいようにすることができる。よって、本変形例によれば、当該一次元バーコードからの情報の読み取り作業を円滑にすることができる。
【０１０４】
また、上記実施形態では、裏面１３に付される２つの一次元バーコード（２１、２２）は、同一の高さ方向に延びている。上記収容体１Ａ及び１Ｃに付される一次元バーコードも同様である。しかしながら、図６に例示されるように、収容体本体の一つの面に複数の一次元バーコードが付される場合に、当該複数の一次元バーコードの高さ方向は互いに一致していなくてもよい。
【０１０５】
図６は、２つの一次元バーコード（２６Ａ、２６Ｂ）の高さ方向がそれぞれ異なっている変形例を示す。具体的には、図６に例示される収容体１Ｄでは、収容体本体１０の裏面１３に、左端部１０３の上方から右端部１０４の下方へ傾斜して延びる一次元バーコード２６Ａと、右端部１０４の上方から左端部１０３の下方へ傾斜して延びる一次元バーコード２６Ｂと、が付されている。すなわち、左端部１０３の上方から右端部１０４の下方への傾斜方向が一次元バーコード２６Ａの高さ方向であるのに対して、右端部１０４の上方から左端部１０３の下方への傾斜方向が一次元バーコード２６Ｂの高さ方向である。収容体本体の一つの面に３つ以上の一次元バーコードが付される場合も同様である。このように、複数の一次元バーコードが同一の面に付される場合に、各一次元バーコードは、異なる高さ方向に延びてもよい。
【０１０６】
これによって、収容体本体の一つの面に付される複数の一次元バーコードの高さ方向の各端部が様々な方向に向けて配置される。例えば、図６では、一次元バーコード２６Ａの高さ方向の各端部が左端部１０３の上方及び右端部１０４の下方にそれぞれ配置されるのに対して、一次元バーコード２６Ｂの高さ方向の各端部は左端部１０３の下方及び右端部１０４の上方にそれぞれ配置される。そのため、当該収容体が読取者に渡されたときに、いずれかの一次元バーコードの高さ方向の端部が読取者の手元に配置される可能性が高く、これによって、一次元バーコードの読み取り作業を行う際に、収容体本体の向きを変えなくてもよい可能性が高くなる。したがって、本変形例によれば、一次元バーコードの読み取り作業をより円滑にすることができる。
【０１０７】
なお、図６で例示される変形例では、各一次元バーコード２６Ａ及び２６Ｂは共に、裏面１３の長手方向に対する長さ及び短手方向に対する長さがそれぞれＢ６ａ及びＢ６ｂで一致するように構成されている。例えば、裏面１３の長手方向に対する長さＢ６ａは裏面１３の長手方向の長さＬの８５％となるように設定され、裏面１３の短手方向に対する長さＢ６ｂは裏面１３の短手方向の長さＷの９０％となるように設定されてよい。これによって、両一次元バーコード２６Ａ及び２６Ｂを裏面１３の商品パッケージの一部に活用した場合に、両一次元バーコード２６Ａ及び２６Ｂの長さを一致させることで、当該商品パッケージのデザイン性を高めることができる。
【０１０８】
また、例えば、上記実施形態では、各一次元バーコード２０〜２２は、高さ方向に一直線上に延びている。しかながら、一次元バーコードの形状は、このような例に限定されなくてもよい。例えば、図７及び図８に例示されるように、一次元バーコードは、ジグザグ状に曲がってもよいし、湾曲してもよい。
【０１０９】
図７は、ジグザグ状に延びる２つの一次元バーコード２７Ａ及び２７Ｂが裏面１３に設けられた変形例を示す。具体的には、図７に例示される収容体１Ｅでは、収容体本体１０の裏面１３に、傾斜方向が交互に変化する２つの一次元バーコード２７Ａ及び２７Ｂが設けられている。すなわち、本変形例では、図７に例示されるように、各一次元バーコード２７Ａ及び２７Ｂは、高さ方向と走査方向とが交互に入れ替わるように構成されている。なお、本変形例では、各一次元バーコード２７Ａ及び２７Ｂは、裏面１３の長手方向の長さの半分以上を占めるように構成されている。
【０１１０】
また、図８は、円形状に湾曲した１つの一次元バーコード２８が裏面１３に設けられた変形例を示す。具体的には、図８に例示される収容体１Ｆでは、収容体本体１０の裏面１３に、円形状に形成された一次元バーコード２８が設けられている。すなわち、本変形例では、図８に例示されるように、一次元バーコード２８の円周方向が高さ方向であり、半径方向が走査方向である。一次元バーコードから情報が読み取り可能であるならば、このように、一次元バーコードを円形状に形成してもよい。なお、本変形例では、一次元バーコード２８は、裏面１３の長手方向及び短手方向それぞれの長さの半分を占めるように構成されている。
【０１１１】
また、一次元バーコードの形状は、上記実施形態のような直線状、並びに当該変形例のようなジグザグ状及び円形状ではなく、その他の形状であってもよい。例えば、一次元バーコードは、図７に例示される一次元バーコード（２７Ａ、２７Ｂ）のジグザグを湾曲した波状であってもよいし、図８に例示される一次元バーコード２８の一部で構成した扇状であってもよい。このような、直線状及び湾曲状の一次元バーコードから適宜商品パッケージに適合する一次元バーコードを選択することで、収容体本体の面上で、デザイン性に富んだ商品パッケージを構成することができる。
＜３．６＞
また、例えば、上記実施形態では、他種情報表示領域２０５を有する第１の一次元バーコード２０は表面１２側に付されているのに対して、裏面１３側に付される各一次元バーコード（２１、２２）は、他種情報表示領域を有していない。しかしながら、他種情報表示領域を有する一次元バーコードの付される面は表面１２に限定される訳ではなく、実施の形態に応じて適宜選択されてよい。例えば、他種情報表示領域を有する一次元バーコードは、裏面１３に付されてもよいし、収容体本体１０が表面１２及び裏面１３以外のその他の面を有する場合には、当該その他の面に付されてもよい。
【符号の説明】
【０１１２】
１…収容体、
１０…収容体本体、１１…内部空間、１２…表面、１３…裏面、
１０１…上端部、１０２…下端部、１０３…左端部、１０４…右端部、
２０…第１の一次元バーコード、２０１…上端部、２０２…下端部、
２０３・２０４…情報読取領域、２０５…他種情報表示領域、
２１…第２の一次元バーコード、２２…第３の一次元バーコード、
Ｌ…収容体本体の長手方向の長さ、Ｗ…収容体本体の短手方向の長さ
【図１】
2017134641.tif 000003
【図２】
2017134641.tif 000004
【図３】
2017134641.tif 000005
【図４】
2017134641.tif 000006
【図５】
2017134641.tif 000007
【図６】
2017134641.tif 000008
【図７】
2017134641.tif 000009
【図８】
2017134641.tif 000010